(57)【要約】      （修正有）【課題】手袋内に挿入した手指をぎゅっぎゅっと握ったり、開いたりを約２０回程度繰り返すだけで挿入中のボールと仕切り部のループ部が手指のツボを刺激し、手のひらの筋肉を刺激して熱を発生せしめて手が長時間暖かい手袋を提供する。【解決手段】手が挿入する挿入口部１と、５本の指が挿入し、且指が飛出する親指挿入口部２と、親指以外の指が挿入する他指挿入口部５と、甲を被覆する甲被覆部６と手のひらを被覆する手のひら被覆部７とからなる手袋ａにおいて、手のひら被覆部７の袋状部内に、複数のボールを挿入せしめる。また、他指挿入口部５は、甲被覆部６の上辺部１０と手のひら被覆部７の上辺部１１とを接続する３本の仕切用ループ部１２を所定の間隔毎に形成する。【選択図】図１
0003140088.tif 000002
【実用新案登録請求の範囲】
【請求項１】
手が挿入する挿入口部１と、５本の指が挿入し、且前記指が飛出する親指挿入口部２と、親指３以外の指４が挿入する他指挿入口部５と、甲を被覆する甲被覆部６と手のひらを被覆する手のひら被覆部７とからなる手袋ａにおいて、
前記手のひら被覆部７の袋状部８内に、複数のボール９を挿入せしめることを特徴とする手袋。
【請求項２】
前記他指挿入口部５は、前記甲被覆部６の上辺部１０と手のひら被覆部７の上辺部１１とを接続する３本の仕切用ループ部１２を所定の間隔毎に形成することを特徴とする請求項１に記載の手袋。
【請求項３】
前記ボール９は、複数にして、且各ボール９が接続部１３を介して接続されていることを特徴とする請求項１又は同２記載の手袋。
【請求項４】
前記ボール９は、合成ゴム資材製にして、且袋部１４に収納されていると共に、前記ボール９は４個使用されていることを特徴とする請求項１又は同２又は同３記載の手袋。
【請求項５】
前記袋部１４は、網状であることを特徴とする請求項１又は同２又は同３又は同４記載の手袋。
【請求項６】
前記ボール９は、前記手のひら被覆部７を構成する内側被覆部１５に接着せしめることを特徴とする請求項１又は同２又は同３又は同４又は同５記載の手袋。
【請求項７】
前記手のひら被覆部７は、ポリエステル生地を使用し、且前記手のひら被覆部７内にはポリエステルの竹炭わた１６を収納していることを特徴とする請求項１又は同２又は同３又は同４又は同５又は同６記載の手袋。
【請求項８】
前記手のひら被覆部７の外側被覆部１５ａには、挿入している各ボール９の位置を示すシール部１７を形成せしめることを特徴とする請求項１又は同２又は同３又は同４又は同５又は同６又は同７記載の手袋。
【請求項９】
前記仕切用ループ部１２は、前記他指間のつぼを刺激する太目の資材をもって形成することを特徴とする請求項１又は同２又は同３又は同４又は同５又は同６又は同７又は同８記載の手袋。
【請求項１０】
前記甲被覆部６と手のひら被覆部７は、ポリエステル生地をもって形成することを特徴とする請求項１又は同２又は同３又は同４又は同５又は同６又は同７又は同８又は同９記載の手袋。
【考案の詳細な説明】
【技術分野】
【０００１】
本考案は、手指に力を込めてぎゅっぎゅっと、約２０回繰り返し握るだけで、手と指のツボを刺激して指先と手のひらの温かさが手袋を外しても長時間持続できるぽかぽか手袋の分野に関するものである。
【背景技術】
【０００２】
従来、手を保温する手袋として、実用新案登録第３１１８６１５号登録実用新案公報が開示されている。
【０００３】
しかし、前記登録実用新案公報の手袋の構成は、薄型カイロを入れるためのポケット１３０を手の甲等を覆う領域の一部に形成されていた。
【０００４】
前記手袋は、前記薄型カイロをポケット１３０内に挿入しておくだけで、手指及び手を挿入した後、手袋内に挿入した手指を力を込めてぎゅっぎゅっと繰り返し握るという動作をすることができない構成である。
【０００５】
さらに、従来開示のカイロ収納袋付の手袋として、特開平１０−３１７２１５公開特許公報が開示されている。
【０００６】
前記開示の手袋は、カイロ１を挿入収納できるカイロ収納袋２を手袋３の内側に付設するもので、前記収納袋２にカイロ１を挿入した後、カイロ１の発熱を利用して保温効果と温熱効果を期待するものであって、前記カイロ１を収納後は、手袋に挿入中の手指をぎゅっぎゅっと複数回握ったり、開いたりして、手指の握る運動で手のひらの筋肉が熱を発生させたり、あるいは手指のツボを刺激して手と指先までを暖かくする構成ではない。
【０００７】
【特許文献１】実用新案登録第３１１８６１５号登録実用新案公報
【特許文献２】特開平１０−３１７２１５公開特許公報
【考案の開示】
【考案が解決しようとする課題】
【０００８】
本考案は、前記した従来開示の２件の登録実用新案公報の手袋と公開特許公報の手袋と異なり、手袋内に挿入した手指をぎゅっぎゅっと握ったり、開いたりを約２０回程度繰り返すだけで挿入中のボールと仕切り部のループ部が手指のツボを刺激し、しかも手のひらの筋肉を刺激して熱を発生せしめて手が長時間暖かくなり、冬季の寒冷時には欠かすことができないようにした。
【０００９】
さらに本考案において使用するボールは、合成ゴムにしてぎゅっぎゅっと握ったときでも、手のひらに対し違和感がなく、爽快さを出すようにした。
【００１０】
また、本考案の前記ボールは、手のひらのツボ部分に常時当るように各ボールを接着せしめ配置してツボ刺激を極めてスムーズにし、短時間で暖かさを出すようにした。
【００１１】
さらに、本考案の前記ボールは、１個宛網内に収納し、且手のひら被覆部の内側被覆部に接着せしめて、手のひらのツボに前記ボールが常時確実に位置し、移動をしないようにした。
【００１２】
また本考案は、ぎゅっぎゅっと指を握った際に、仕切り用ループ部が指のツボを強力に刺激するように、表面を柔かく、内部を稍固めの素材を使用した。
【００１３】
さらに、手のひら被覆部内に竹炭わたを収納して、挿入中のボールがぎゅっぎゅっと指を握ったときに、手指の皮膚への衝撃を緩衝するようにした。
【００１４】
また本考案は、手のひら被覆部の外側被覆部に、シール部を取着して、収納しているボールの位置を確認し、且ツボの位置を判り易く表示して使用者に安心感を与えるようにした。
【００１５】
さらに、本考案は、手袋をぎゅっぎゅっと握ったり、開いたりの運動をしながら、同時に体操をすることによって、猫が踊っているようなイメージを抱かせ楽しさを倍増せしめるようにした。
【課題を解決するための手段】
【００１６】
課題を解決するための手段として、請求項１記載の考案は、手が挿入する挿入口部１と、５本の指が挿入し、且前記指が飛出する親指挿入口部２と、親指３以外の指４が挿入する他指挿入口部５と、甲を被覆する甲被覆部６と手のひらを被覆する手のひら被覆部７とからなる手袋ａにおいて、前記手のひら被覆部７の袋状部８内に、複数のボール９を挿入せしめる手袋である。
【００１７】
課題を解決するための手段として、請求項２記載の考案は、前記他指挿入口部５は、前記甲被覆部６の上辺部１０と手のひら被覆部７の上辺部１１とを接続する３本の仕切用ループ部１２を所定の間隔毎に形成する請求項１に記載の手袋である。
【００１８】
課題を解決するための手段として、請求項３記載の考案は、前記ボール９は、複数にして、且各ボール９が接続部１３を介して接続されている請求項１又は同２記載の手袋である。
【００１９】
課題を解決するための手段として、請求項４記載の考案は、前記ボール９は、合成ゴム資材製にして、且袋部１４に収納されていると共に、前記ボール９は４個使用されている請求項１又は同２又は同３記載の手袋である。
【００２０】
課題を解決するための手段として、請求項５記載の考案は、前記袋部１４は、網状である請求項１又は同２又は同３又は同４記載の手袋である。
【００２１】
課題を解決するための手段として、請求項６記載の考案は、前記ボール９は、前記手のひら被覆部７を構成する内側被覆部１５に接着せしめる請求項１又は同２又は同３又は同４又は同５記載の手袋である。
【００２２】
課題を解決するための手段として、請求項７記載の考案は、前記手のひら被覆部７は、ポリエステル生地を使用し、且前記手のひら被覆部７内にはポリエステルの竹炭わた１６を収納している請求項１又は同２又は同３又は同４又は同５又は同６記載の手袋である。
【００２３】
課題を解決するための手段として、請求項８記載の考案は、前記手のひら被覆部７の外側被覆部１５ａには、挿入している各ボール９の位置を示すシール部１７を形成せしめる請求項１又は同２又は同３又は同４又は同５又は同６又は同７記載の手袋である。
【００２４】
課題を解決するための手段として、請求項９記載の考案は、前記仕切用ループ部１２は、前記他指間のつぼを刺激する太目の資材をもって形成する請求項１又は同２又は同３又は同４又は同５又は同６又は同７又は同８記載の手袋である。
【００２５】
課題を解決するための手段として、請求項１０記載の考案は、前記甲被覆部６と手のひら被覆部７は、ポリエステル生地をもって形成する請求項１又は同２又は同３又は同４又は同５又は同６又は同７又は同８又は同９記載の手袋である。
【考案の効果】
【００２６】
請求項１記載の考案は、手が挿入する挿入口部１と、５本の指が挿入し、且前記指が飛出する親指挿入口部２と、親指３以外の指４が挿入する他指挿入口部５と、甲を被覆する甲被覆部６と手のひらを被覆する手のひら被覆部７とからなる手袋ａにおいて、前記手のひら被覆部７の袋状部８内に、複数のボール９を挿入せしめる手袋なので、指をぎゅっぎゅっと握ったり、開いたりを複数回繰り返すと、手のひらの筋肉とツボと、指のツボを、ボールと仕切り用ループ部が指のツボを短時間で刺激し且血行を促進して、手を暖め、ひいては身体をも暖めるようにした。
【００２７】
そのため、冬季シーズンに入って朝の目覚め時に使用すると起床がしやすいし、さらに作業開始時に、かじかんでいる手指を暖めて作業性を高めるようにした。
【００２８】
さらに本考案は、挿入中のボールが手のひらのツボと筋肉と、さらに各指のツボとを押圧し刺激して血行を促進するので、手を短時間で暖めることができるようにした。
【００２９】
請求項２記載の考案は、前記他指挿入口部５は、前記甲被覆部６の上辺部１０と手のひら被覆部７の上辺部１１とを接続する３本の仕切用ループ部１２を所定の間隔毎に形成する手袋なので、他指の挿入をスムーズにした。
【００３０】
さらに、本考案は、前記請求項１記載の考案と同じ効果を有している。
【００３１】
請求項３記載の考案は、前記ボール９は、複数にして、且各ボール９が接続部１３を介して接続されている手袋なので、収納中のボールがばらばらになって勝手に移動するのを防止した。
【００３２】
さらに本考案は、前記請求項１又は同２記載の考案と同じ効果を有している。
【００３３】
請求項４記載の考案は、前記ボール９は、合成ゴム資材製にして、且袋部１４に収納されていると共に、前記ボール９は４個使用されている手袋なので、各ボールが容易に離脱することなく、且握りしめの時に皮膚への衝撃を和らげて指の握りを緩和する。
【００３４】
さらに、本考案は、前記請求項１又は同２又は同３記載の考案と同じ効果を有している。
【００３５】
請求項５記載の考案は、前記袋部１４は、網状である手袋なので、収納中の各ボールが自由自在に移動したりしない。
【００３６】
さらに本発明は、前記請求項１又は同２又は同３又は同４記載の考案と同じ効果を有している。
【００３７】
請求項６記載の考案は、前記ボール９は、前記手のひら被覆部７を構成する内側被覆部１５に接着せしめる手袋なので、収納中のボールを常時同位置を確保し、手のひらのツボや筋肉とを確実に刺激する利点を有している。
【００３８】
さらに本発明は、前記請求項１又は同２又は同３又は同４又は同５記載の考案と同じ効果を有している。
【００３９】
請求項７記載の考案は、前記手のひら被覆部７は、ポリエステル生地を使用し、且前記手のひら被覆部７内にはポリエステルの竹炭わた１６を収納している手袋なので、指をぎゅっぎゅっと握った際に、ボールの衝撃を緩衝して違和感を与えたりしない利点を有している。
【００４０】
さらに本考案は、前記請求項１又は同２又は同３又は同４又は同５又は同６記載の考案と同じ効果を有している。
【００４１】
請求項８記載の考案は、前記手のひら被覆部７の外側被覆部１５ａには、挿入している各ボール９の位置を示すシール部１７を形成せしめる手袋なので、シール分度板の下方部位にボールが点在することを認識せしめてぎゅっぎゅっと握り運動を楽しむことができる。
【００４２】
さらに本考案は、前記請求項１又は同２又は同３又は同４又は同５又は同６又は同７記載の考案と同じ効果を有している。
【００４３】
請求項９記載の考案は、前記仕切用ループ部１２は、前記他指間のつぼを刺激する太目の資材をもって形成する手袋なので、仕切りループ部が各指のツボを確実に刺激して手を短時間で暖める。
【００４４】
さらに本考案は、前記請求項１又は同２又は同３又は同４又は同５又は同６又は同７又は同８記載の考案と同じ効果を有している。
【００４５】
請求項１０記載の考案は、前記甲被覆部６と手のひら被覆部７は、ポリエステル生地をもって形成する手袋なので、肌触りが極めて良好である。
【００４６】
さらに本考案は、前記請求項１又は同２又は同３又は同４又は同５又は同６又は同７又は同８又は同９記載の考案と同じ効果を有している。
【考案を実施するための最良の形態】
【００４７】
本考案の請求項１〜１０に記載されている考案の実施の形態は共通しているので、以下のとおり一括して説明する。
【００４８】
図面において、ａは手袋であり、手が挿入する挿入口部１と、５本の指が挿入し、且飛出する指挿入口部２と、親指３以外の指４が挿入する他指挿入口部５と、甲を被覆する甲被覆部６と手のひらを被覆する手のひら被覆部７とから構成されている。
【００４９】
前記他指挿入口部５は、前記甲被覆部６の上辺部１０と手のひら被覆部７の上辺部１１とを接続する３本の仕切用ループ部１２を所定の間隔毎に形成する。                  
【００５０】
前記仕切用ループ部１２は、前記他指間のつぼを刺激することができるような太目の資材をもって形成する。
【００５１】
さらに、前記甲被覆部６と手のひら被覆部７は、ポリエステル生地をもって形成する。
【００５２】
前記手のひら被覆部７は、ポリエステル１００％の生地を使用し、且前記手のひら被覆部７内にポリエステル１００％の竹炭わた１６を収納する。
【００５３】
前記手のひら被覆部７の外側被覆部１５ａには、挿入している各ボール９の位置を示すシール部１７を設ける。    
【００５４】
前記ボール９は、合成ゴム資材製にして、且袋部１４に収納されていると共に、前記ボール９は４個使用されている。
【００５５】
前記袋部１４は、網状にて形成する。
【００５６】
前記ボール９は、前記の手のひら被覆部７を構成する内側被覆部１５に接着せしめる。
【００５７】
前記ボール９は、複数にして、且各ボール９同志が接続部１３を介して接続されている。
【００５８】
前記各ボール９は、各ボール９同志が接着剤を介して接着してもよい。ｂは手である。
【００５９】
以上が本考案の手袋ａの構成であるが、その使用方法を説明する。
【００６０】
前記手袋ａの挿入口部１から手ｂを挿入し、挿入口部２と他指挿入口部５により、５本の各指を飛出させる。
【００６１】
前記の状態で挿入口部５から飛出している各指をシール部１７の方向にぎゅっぎゅっと握ると、挿入中の４つのボール９がもみ状体となって、手のひらのツボを刺激する。
【００６２】
さらに、前記のぎゅっと折曲した指を開き、再度ぎゅっとにぎる。
【００６３】
前記の指のぎゅっと折曲状態とし、何秒かおきに指を握ったり、開いてやる。前記の握りと開きの運動を交互に繰り返してると、手のひらの筋肉が収納を繰り返し発熱する。
【００６４】
さらに、前記のように指を握ったり、開いたりすると、各指の間を前記ループ内１２が刺激し血行を良好にすると共に発熱する。
【００６５】
また、前記ボール９は、指のぎゅっと握りしめても、各ボール９同志が接着されているので、容易に分離したりしない。
【００６６】
そのため、各ボール９が、正常位置を常時確保している。
【００６７】
さらに、出願人サイドで実験、計測をした結果下記のような事実が判明した。
（１）スタートは、両手を水の中に約３０秒間つけた。
【００６８】
そして約３０秒後、右手に本考案の手袋ａを着用し、左手は通常の手袋を着用した。
（２）３分後の状態は下記のとおりである。
【００６９】
本考案の手袋ａをして、ぎゅっと握ること３分後は、手のひらの一部が少々暖味をつけると共に、手のひらの付け根部分は完全に暖味をつけている。他方従来の手袋をつけた場合は、手のひらに僅かな暖味があり、手の付け根部分は稍暖味が出てきた程度である。
（３）１０分後は下記のとおりである。本考案の手袋ａを右手に付けたとき、手のひら全部と、手の付け根も全部暖味が出てきた。
【００７０】
これに対し、従来の手袋を付けていた手のひらの暖味は、前記本考案手袋ａの手のひらに比し、約３分の１程度しか暖味が発生していないと共に、手指の付け根も、本考案の手袋を付けている手の付け根の３分の２程度が暖味をつけていた。
（４）約２０分後の経緯は下記のとおりである。
【００７１】
本考案の手袋ａを着用した２０分後は、手のひらと手の付け根の全面が暖味をつけていた。
【００７２】
これに対し、従来タイプの手袋の場合は、手のひらに、僅かに暖味が出ているだけであり、且手の付け根が全面的に暖味が出ていることが判明した。
【００７３】
上記のとおり、本考案手袋ａのすぐれた利点を実証できた。
【図面の簡単な説明】
【００７４】
【図１】本考案手袋の斜視図である。
【００７５】
【図２】同手袋に指を挿入した状態の平面図である。
【００７６】
【図３】同手袋の要部を示す一部切欠正面図である。
【００７７】
【図４】同手袋の使用状態を示す正面図である。
【００７８】
【図５】同手袋と通常手袋との使用時の差異を示す図である。
【符号の説明】
【００７９】
ａ      手袋
ｂ      手
１      挿入口部
２      指挿入口部
３      親指
４      指
５      他指挿入口部
６      甲被覆部
７      手のひら被覆部
８      袋状部
９      ボール
１０    上辺部
１１    上辺部
１２    ループ部
１３    接続部
１４    袋部
１５    内側被覆部
１５ａ  外側被覆部
１６    竹炭わた
１７    シール部
【図１】
0003140088.tif 000003
【図２】
0003140088.tif 000004
【図３】
0003140088.tif 000005
【図４】
0003140088.tif 000006
【図５】
0003140088.tif 000007